(57)【特許請求の範囲】
【請求項１】
コンテンツおよび付加情報を表示可能な表示手段を有した携帯端末と、
前記携帯端末でのコンテンツ表示を支援するためのコンテンツ表示支援装置と、
撮影装置とを備え、
前記撮影装置は、第１の再生装置で再生されたコンテンツを撮影した撮影画像と、前記撮影装置の位置および向きを特定する位置情報とを前記コンテンツ表示支援装置へ送信するための送信手段を含み、
前記コンテンツ表示支援装置は、
前記撮影装置から、前記撮影画像と前記位置情報とを取得するための取得手段と、
前記撮影画像に前記位置情報を可視化して前記コンテンツに埋め込むことで合成コンテンツを生成するための生成手段と、
第２の再生装置に前記合成コンテンツを送信して再生させるための制御手段と、
前記携帯端末からの要求に応じて、前記位置情報に関連する前記付加情報を当該携帯端末へ送信するための送信手段とを含み、
前記携帯端末は、
前記第２の再生装置で再生された前記合成コンテンツを撮影した画像から、前記位置情報を取得するための処理手段と、
前記処理手段で取得した前記位置情報を前記コンテンツ表示支援装置に送信することで、前記表示手段で表示する前記付加情報を前記コンテンツ表示支援装置に要求するための要求手段と、
前記コンテンツ表示支援装置から受け取った前記付加情報を表示するための表示処理手段とを含む、コンテンツ表示支援システム。
【請求項２】
前記コンテンツ表示支援装置の前記生成手段は、前記位置情報をコード情報に変換して前記撮影画像に埋め込む、請求項１に記載のコンテンツ表示支援システム。
【請求項３】
前記コンテンツ表示支援装置の前記送信手段は、前記携帯端末から送信された前記位置情報が、予め規定されている前記付加情報の送信対象とする範囲内である場合に前記付加情報を前記携帯端末へ送信する、請求項１または２に記載のコンテンツ表示支援システム。
【請求項４】
前記携帯端末は、前記第２の再生装置で再生された前記合成コンテンツを撮影した画像中の、前記可視化された前記位置情報を表わした画像のサイズに応じて、前記付加情報の表示サイズを変換する、請求項１〜３のいずれかに記載のコンテンツ表示支援システム。
【請求項５】
前記携帯端末の前記表示処理手段は、前記第２の再生装置で再生された前記合成コンテンツを撮影した画像に、前記付加情報に基づく画像を合成して前記表示手段に表示する、請求項１〜４のいずれかに記載のコンテンツ表示支援システム。
【請求項６】
コンテンツおよび付加情報を表示可能な表示手段を有した携帯端末と、
前記コンテンツを表示するための第１の再生装置および第２の再生装置と、
前記携帯端末でのコンテンツ表示を支援するためのコンテンツ表示支援装置と、
撮影装置とを備え、
前記撮影装置は、第１の再生装置で再生されたコンテンツを撮影した撮影画像と、前記撮影装置の位置および向きを特定する位置情報とを前記コンテンツ表示支援装置へ送信するための送信手段を含み、
前記コンテンツ表示支援装置は、
前記撮影装置から、前記撮影画像と前記位置情報とを取得するための取得手段と、
前記第２の再生装置に、前記位置情報を送信すると共に、前記第１の再生装置で再生されたコンテンツを送信して再生させるための制御手段と、
前記携帯端末からの要求に応じて、前記位置情報に関連する前記付加情報を当該携帯端末へ送信するための送信手段とを含み、
前記第２の再生装置は、
前記コンテンツ表示支援装置から、前記位置情報を受信するための受信手段と、
前記受信手段により受信した前記位置情報を、前記携帯端末へ送信するための送信手段とを含み、
前記携帯端末は、
前記第２の再生装置から送信された前記位置情報を取得するための取得手段と、
前記取得手段で取得した前記位置情報を前記コンテンツ表示支援装置に送信することで、前記表示手段で表示する前記付加情報を前記コンテンツ表示支援装置に要求するための要求手段と、
前記コンテンツ表示支援装置から受け取った前記付加情報を表示するための表示処理手段とを含む、コンテンツ表示支援システム。
【請求項７】
携帯端末でのコンテンツ表示を支援するためのコンテンツ表示支援装置であって、
撮影装置から、第１の再生装置で再生されたコンテンツを撮影した撮影画像と、前記撮影装置の位置および向きを特定する位置情報とを取得するための取得手段と、
前記撮影画像に前記位置情報を可視化して前記コンテンツに埋め込むことで合成コンテンツを生成するための生成手段と、
第２の再生装置に前記合成コンテンツを送信して再生させるための制御手段と、
前記携帯端末から、前記第２の再生装置で再生された前記合成コンテンツを撮影した画像より取得された前記位置情報と共に付加情報の要求を受け付けることで、前記位置情報に関連する前記付加情報を当該携帯端末へ送信するための送信手段とを備える、コンテンツ表示支援装置。
【請求項８】
携帯端末でのコンテンツの表示を支援する方法であって、
撮影装置から、第１の再生装置で再生されたコンテンツを撮影した撮影画像と、前記撮影装置の位置および向きを特定する位置情報とを、コンテンツ表示支援装置が取得するステップと、
前記コンテンツ表示支援装置が前記撮影画像に前記位置情報を可視化して前記コンテンツに埋め込むことで合成コンテンツを生成し、第２の再生装置に送信するステップと、
前記第２の再生装置において前記合成コンテンツを再生するステップと、
前記携帯端末において、前記第２の再生装置で再生された前記合成コンテンツを撮影した画像から、前記位置情報を取得するステップと、
前記携帯端末において、前記位置情報を前記コンテンツ表示支援装置に送信することで、表示する付加情報を前記コンテンツ表示支援装置に要求するステップと、
前記携帯端末からの要求に応じて、前記位置情報に関連する前記付加情報を前記コンテンツ表示支援装置から当該携帯端末へ送信するステップと、
前記携帯端末において前記コンテンツ表示支援装置から受け取った前記付加情報を表示するステップとを備える、コンテンツ表示支援方法。
【請求項９】
コンテンツ表示支援装置に、携帯端末でのコンテンツの表示を支援する処理を実行させるためのプログラムであって、
撮影装置から、第１の再生装置で再生されたコンテンツを撮影した撮影画像と、前記撮影装置の位置および向きを特定する位置情報とを取得するステップと、
前記撮影画像に前記位置情報を可視化して前記コンテンツに埋め込むことで合成コンテンツを生成するステップと、
第２の再生装置に前記合成コンテンツを送信して再生させるステップと、
前記携帯端末から、前記第２の再生装置で再生された前記合成コンテンツを撮影した画像より取得された前記位置情報と共に付加情報の要求を受け付けることで、前記位置情報に関連する前記付加情報を当該携帯端末へ送信するステップとを前記コンテンツ表示支援装置に実行させる、表示プログラム。
【請求項１０】
携帯端末にコンテンツ表示処理を実行させるためのプログラムであって、
第１の再生装置により再生されたコンテンツを撮影した撮影装置の位置および向きを特定する位置情報が埋め込まれた合成コンテンツであって、第２の再生装置により再生された合成コンテンツを撮影した画像から、前記撮影装置の位置および向きを特定する位置情報を取得するステップと、
前記位置情報をコンテンツ表示支援装置に送信することで、付加情報を前記コンテンツ表示支援装置に要求するステップと、
前記要求に応じて前記コンテンツ表示支援装置から送信された前記付加情報を表示するステップとを前記携帯端末に実行させる、表示プログラム。
【請求項１１】
表示手段を有する携帯端末であって、
第１の再生装置により再生されたコンテンツを撮影した撮影装置の位置および向きを特定する位置情報が埋め込まれた合成コンテンツであって、第２の再生装置により再生された合成コンテンツを撮影した画像から、前記撮影装置の位置および向きを特定する位置情報を取得するための取得手段と、
前記位置情報をコンテンツ表示支援装置に送信することで、付加情報を前記コンテンツ表示支援装置に要求するための要求手段と、
前記要求に応じて前記コンテンツ表示支援装置から送信された前記付加情報を前記表示手段に表示するための表示処理手段とを備える、携帯端末。
【発明の詳細な説明】
【技術分野】
【０００１】
この発明はコンテンツ表示支援システム、コンテンツ表示支援装置、コンテンツ表示支援方法、表示プログラム、および携帯端末に関し、特に、遠隔でのコンテンツ表示を支援するコンテンツ表示支援システム、コンテンツ表示支援装置、コンテンツ表示支援方法、表示プログラム、および携帯端末に関する。
【背景技術】
【０００２】
従来、会議支援システムとして、複数の会議参加者で資料を共有するためのシステムが提案されている。
【０００３】
たとえば、特開２００８−１５８９９２号公報（以下、特許文献１）は、会議等のイベントで用いる資料としての文書データーを共有サーバーに記憶させることでネットワーク上で公開し、所定の認証処理に応じて該文書データーを情報端末に提供するシステムを開示している。
【０００４】
また、特開２０１０−２７３２５６号公報（以下、特許文献２）は、遠隔会議を支援する画像形成装置として、遠隔で行なわれているテレビ会議画像を解析して予め規定した絞込み条件を用いて登録されている特徴を有する人物像を当該画像中から抽出し、当該人物像に対応する送信先を特定して原稿を送信する画像形成装置を開示している。
【先行技術文献】
【特許文献】
【０００５】
【特許文献１】特開２００８−１５８９９２号公報
【特許文献２】特開２０１０−２７３２５６号公報
【発明の概要】
【発明が解決しようとする課題】
【０００６】
しかしながら、いずれのシステムであっても、たとえばセミナーのような、予め登録された参加者ではない一般の参加者が参加可能な形式の会議である場合、当該参加者が共有される資料を得ることが難しい、という問題があった。
【０００７】
本発明はこのような問題に鑑みてなされたものであって、遠隔でのコンテンツ表示において、容易な操作で当該コンテンツの表示を支援することができるコンテンツ表示支援システム、コンテンツ表示支援装置、コンテンツ表示支援方法、表示プログラム、および携帯端末を提供することを目的としている。
【課題を解決するための手段】
【０００８】
上記目的を達成するために、本発明のある局面に従うと、コンテンツ表示支援システムは、コンテンツおよび付加情報を表示可能な表示手段を有した携帯端末と、携帯端末でのコンテンツ表示を支援するためのコンテンツ表示支援装置と、撮影装置とを備える。撮影装置は、第１の再生装置で再生されたコンテンツを撮影した撮影画像と、撮影装置の位置および向きを特定する位置情報とをコンテンツ表示支援装置へ送信するための送信手段を含む。コンテンツ表示支援装置は、撮影装置から、撮影画像と位置情報とを取得するための取得手段と、撮影画像に位置情報を可視化してコンテンツに埋め込むことで合成コンテンツを生成するための生成手段と、第２の再生装置に合成コンテンツを送信して再生させるための制御手段と、携帯端末からの要求に応じて、位置情報に関連する付加情報を当該携帯端末へ送信するための送信手段とを含む。携帯端末は、第２の再生装置で再生された合成コンテンツを撮影した画像から、位置情報を取得するための処理手段と、処理手段で取得した位置情報をコンテンツ表示支援装置に送信することで、表示手段で表示する付加情報をコンテンツ表示支援装置に要求するための要求手段と、コンテンツ表示支援装置から受け取った付加情報を表示するための表示処理手段とを含む。
【０００９】
好ましくは、コンテンツ表示支援装置の生成手段は、位置情報をコード情報に変換して撮影画像に埋め込む。
【００１０】
好ましくは、コンテンツ表示支援装置の送信手段は、携帯端末から送信された位置情報が、予め規定されている付加情報の送信対象とする範囲内である場合に付加情報を携帯端末へ送信する。
【００１１】
好ましくは、携帯端末は、第２の再生装置で再生された合成コンテンツを撮影した画像中の、可視化された位置情報を表わした画像のサイズに応じて、付加情報の表示サイズを変換する。
【００１２】
好ましくは、携帯端末の表示処理手段は、第２の再生装置で再生された合成コンテンツを撮影した画像に、付加情報に基づく画像を合成して表示手段に表示する。
【００１３】
本発明の他の局面に従うと、コンテンツ表示支援システムは、コンテンツおよび付加情報を表示可能な表示手段を有した携帯端末と、コンテンツを表示するための第１の再生装置および第２の再生装置と、携帯端末でのコンテンツ表示を支援するためのコンテンツ表示支援装置と、撮影装置とを備える。撮影装置は、第１の再生装置で再生されたコンテンツを撮影した撮影画像と、撮影装置の位置および向きを特定する位置情報とをコンテンツ表示支援装置へ送信するための送信手段を含む。コンテンツ表示支援装置は、撮影装置から、撮影画像と位置情報とを取得するための取得手段と、第２の再生装置に、位置情報を送信すると共に、第１の再生装置で再生されたコンテンツを送信して再生させるための制御手段と、携帯端末からの要求に応じて、位置情報に関連する付加情報を当該携帯端末へ送信するための送信手段とを含む。第２の再生装置は、コンテンツ表示支援装置から、位置情報を受信するための受信手段と、受信手段により受信した位置情報を、携帯端末へ送信するための送信手段とを含む。携帯端末は、第２の再生装置から送信された位置情報を取得するための取得手段と、取得手段で取得した位置情報をコンテンツ表示支援装置に送信することで、表示手段で表示する付加情報をコンテンツ表示支援装置に要求するための要求手段と、コンテンツ表示支援装置から受け取った付加情報を表示するための表示処理手段とを含む。
【００１４】
本発明のさらに他の局面に従うと、コンテンツ表示支援装置は、携帯端末でのコンテンツ表示を支援するための装置であって、撮影装置から、第１の再生装置で再生されたコンテンツを撮影した撮影画像と、撮影装置の位置および向きを特定する位置情報とを取得するための取得手段と、撮影画像に位置情報を可視化してコンテンツに埋め込むことで合成コンテンツを生成するための生成手段と、第２の再生装置に合成コンテンツを送信して再生させるための制御手段と、携帯端末から、第２の再生装置で再生された合成コンテンツを撮影した画像より取得された位置情報と共に付加情報の要求を受け付けることで、位置情報に関連する付加情報を当該携帯端末へ送信するための送信手段とを備える。
【００１５】
本発明のさらに他の局面に従うと、コンテンツ表示支援方法は携帯端末でのコンテンツの表示を支援する方法であって、撮影装置から、第１の再生装置で再生されたコンテンツを撮影した撮影画像と、撮影装置の位置および向きを特定する位置情報とを、コンテンツ表示支援装置が取得するステップと、コンテンツ表示支援装置が撮影画像に位置情
報を可視化してコンテンツに埋め込むことで合成コンテンツを生成し、第２の再生装置に送信するステップと、第２の再生装置において合成コンテンツを再生するステップと、携帯端末において、第２の再生装置で再生された合成コンテンツを撮影した画像から、位置情報を取得するステップと、携帯端末において、位置情報をコンテンツ表示支援装置に送信することで、表示する付加情報をコンテンツ表示支援装置に要求するステップと、携帯端末からの要求に応じて、位置情報に関連する付加情報をコンテンツ表示支援装置から当該携帯端末へ送信するステップと、携帯端末においてコンテンツ表示支援装置から受け取った付加情報を表示するステップとを備える。
【００１６】
本発明のさらに他の局面に従うと、表示プログラムは、コンテンツ表示支援装置に、携帯端末でのコンテンツの表示を支援する処理を実行させるためのプログラムであって、撮影装置から、第１の再生装置で再生されたコンテンツを撮影した撮影画像と、撮影装置の位置および向きを特定する位置情報とを取得するステップと、撮影画像に位置情報を可視化してコンテンツに埋め込むことで合成コンテンツを生成するステップと、第２の再生装置に合成コンテンツを送信して再生させるステップと、携帯端末から、第２の再生装置で再生された合成コンテンツを撮影した画像より取得された位置情報と共に付加情報の要求を受け付けることで、位置情報に関連する付加情報を当該携帯端末へ送信するステップとをコンテンツ表示支援装置に実行させる。
【００１７】
本発明のさらに他の局面に従うと、表示プログラムは携帯端末にコンテンツ表示処理を実行させるためのプログラムであって、第１の再生装置により再生されたコンテンツを撮影した撮影装置の位置および向きを特定する位置情報が埋め込まれた合成コンテンツであって、第２の再生装置により再生された合成コンテンツを撮影した画像から、撮影装置の位置および向きを特定する位置情報を取得するステップと、位置情報をコンテンツ表示支援装置に送信することで、付加情報をコンテンツ表示支援装置に要求するステップと、要求に応じてコンテンツ表示支援装置から送信された付加情報を表示するステップとを携帯端末に実行させる。
本発明のさらに他の局面に従うと、携帯端末は表示手段を有し、第１の再生装置により再生されたコンテンツを撮影した撮影装置の位置および向きを特定する位置情報が埋め込まれた合成コンテンツであって、第２の再生装置により再生された合成コンテンツを撮影した画像から、撮影装置の位置および向きを特定する位置情報を取得するための取得手段と、位置情報をコンテンツ表示支援装置に送信することで、付加情報をコンテンツ表示支援装置に要求するための要求手段と、要求に応じてコンテンツ表示支援装置から送信された付加情報を前記表示手段に表示するための表示処理手段とを備える。
【発明の効果】
【００１８】
この発明によると、遠隔会議などの遠隔でのコンテンツ表示において、容易な操作で当該コンテンツの表示を支援することができる。
【図面の簡単な説明】
【００１９】
【図１】コンテンツ表示支援システムの一実施の形態である会議支援システム（以下、システムと略する）の構成の具体例を示す図である。
【図２】システムに含まれるＭＦＰのハードウェア構成の具体例を示す図である。
【図３】システムに含まれる携帯端末のハードウェア構成の具体例を示す図である。
【図４】システムに含まれるサーバーのハードウェア構成の具体例を示す図である。
【図５】システムに含まれるカメラのハードウェア構成の具体例を示す図である。
【図６】システムにおける動作概要を表わした図である。
【図７】携帯端末に表示される画面の具体例を示す図である。
【図８】携帯端末の機能構成の具体例を示すブロック図である。
【図９】サーバーの機能構成の具体例を示すブロック図である。
【図１０】ＭＦＰの機能構成の具体例を示すブロック図である。
【図１１】携帯端末での、タグ付き画面を表示するための動作の流れを表わしたフローチャートである。
【図１２】サーバーでの、タグ付き画面を携帯端末に表示させるための動作の流れを示すフローチャートである。
【図１３】ＭＦＰでの、第１の拠点から第２の拠点へプレゼン資料を転送するための動作の流れを示すフローチャートである。
【図１４】第１の変形例での処理を説明するための図である。
【図１５】第１の変形例での処理を説明するための図である。
【図１６】第１の変形例での携帯端末での動作の具体例を示すフローチャートである。
【図１７】第２の変形例にかかるシステムでの動作概要を表わした図である。
【発明を実施するための形態】
【００２０】
以下に、図面を参照しつつ、本発明の実施の形態について説明する。以下の説明では、同一の部品および構成要素には同一の符号を付してある。それらの名称および機能も同じである。
【００２１】
＜システム構成＞
図１は、コンテンツ表示支援システムの一実施の形態である会議支援システム（以下、システムと略する）１の構成の具体例を示す図である。
【００２２】
図１を参照して、システム１は、テレビ会議システムサーバーとして機能する画像形成装置としてのＭＦＰ（Multi-Functional Peripheral）１００と、複数の携帯端末２００Ａ，２００Ｂと、コンテンツ再生装置として機能する複数のプロジェクター３００Ａ，３００Ｂと、カメラ４００と、テレビ会議システムサーバーとして機能するサーバー６００と、後述するタグ付き画面を表示するためのサーバーとして機能するサーバー８００とを含む。なお、携帯端末２００Ａ，２００Ｂを代表させて、携帯端末２００と称する。
【００２３】
なお、この例では、テレビ会議システムサーバーとして機能する装置の一例としてＭＦＰを挙げているが、通信機能を有する、ＭＦＰ以外の他の画像形成装置であってもよいし、サーバー６００と同様の、サーバーであってもよい。
【００２４】
また、この例では、ＭＦＰ１００およびサーバー６００がコンテンツ再生装置であるプロジェクター３００でのコンテンツの再生を支援するための装置として機能するものとして、それぞれ別体で構成されるものとしているが、これらは１つの装置で構成されてもよい。
【００２５】
さらに、ＭＦＰ１００およびサーバー８００が携帯端末２００でタグ付きのコンテンツを表示するための装置である携帯端末２００での当該タグ付きのコンテンツの表示を支援するための装置として機能するものとして、それぞれ別体で構成されるものとしているが、これらは１つの装置で構成されてもよい。
【００２６】
さらに、ＭＦＰ１００、サーバー６００およびサーバー８００が、コンテンツ再生装置でのコンテンツの再生および携帯端末での付加情報付きのコンテンツの表示を支援するためのコンテンツ表示支援装置として、１つの装置で構成されてもよい。
【００２７】
当該システムにおいて、ＭＦＰ１００とプロジェクター３００Ａとカメラ４００とはネットワーク５００Ａを介して通信可能に構成され、プロジェクター３００Ｂとサーバー６００とはネットワーク５００Ｂを介して通信可能に構成されている。さらに、ＭＦＰ１００とプロジェクター３００Ａ，３００Ｂとサーバー６００，８００とはインターネット７００を介して通信可能に構成されている。
【００２８】
システム１は、プロジェクター３００Ａによって資料が投影されながら行なわれるプレゼンテーションを支援し、さらに、遠隔において、プロジェクター３００Ａを用いたプレゼンテーションをプロジェクター３００Ｂを用いて再現し、かつ、そのプレゼンテーションを支援するためのシステムである。本実施の形態では、ＭＦＰ１００がテレビ会議システムサーバーとして機能することにより、ＭＦＰ１００によってコンテンツ表示支援装置が構成される。
【００２９】
すなわち、システム１は、ネットワーク５００Ａの設置された第１の拠点に設けられるシステム１Ａと、ネットワーク５００Ｂの設置された第２の拠点に設けられるシステム１Ｂとに分けて用いることが想定されており、図に示されたように、システム１Ａとしてネットワーク５００Ａに接続されたＭＦＰ１００とプロジェクター３００Ａとカメラ４００とが第１の拠点に設けられ、さらに第１の拠点では携帯端末２００Ａが設けられている。第１の拠点は、プロジェクター３００Ａによって資料が投影されながら行なわれるプレゼンテーションの実施拠点と言える。
【００３０】
また、システム１Ｂとしてネットワーク５００Ｂに接続されたプロジェクター３００Ｂとサーバー６００とが第２の拠点に設けられ、さらに第２の拠点では携帯端末２００Ｂが設けられている。第２の拠点は、プロジェクター３００Ａを用いたプレゼンテーションの、プロジェクター３００Ｂを用いた再現拠点と言える。
【００３１】
インターネット７００およびサーバー８００は、システム１Ａとシステム１Ｂとをつなぐ機能を有し、第１の拠点でのプレゼンテーションに関する情報と第２の拠点での該プレゼンテーションの再現とを支援する。
【００３２】
＜装置構成＞
＜ＭＦＰの装置構成＞
図２は、ＭＦＰ１００のハードウェア構成の具体例を示す図である。
【００３３】
図２を参照して、ＭＦＰ１００は、全体を制御するための演算装置であるＣＰＵ（Central Processing Unit）１０と、ＣＰＵ１０で実行されるプログラムなどを記憶するためのＲＯＭ（Read Only Memory）１１と、ＣＰＵ１０でプログラムを実行する際の作業領域として機能するためのＲＡＭ（Random Access Memory）１２と、図示しない原稿台に載置された原稿を光学的に読み取って画像データーを得るためのスキャナー１３と、画像データーを印刷用紙上に固定するためのプリンター１４と、情報を表示したり当該ＭＦＰ１００に対する操作入力を受け付けたりするための操作パネル１５と、画像データーなどを保存するためのメモリー１６と、ネットワーク５００Ａを介した通信の制御するためのネットワークコントローラー１７と、インターネット７００を介した通信の制御するための通信コントローラー１８とを含む。
【００３４】
＜携帯端末の装置構成＞
図３は、携帯端末２００のハードウェア構成の具体例を示す図である。
【００３５】
図３を参照して、携帯端末２００は、全体を制御するための演算装置であるＣＰＵ２０と、ＣＰＵ２０で実行されるプログラムなどを記憶するためのＲＯＭ２１と、ＣＰＵ２０でプログラムを実行する際の作業領域として機能するためのＲＡＭ２２と、磁気センサーを含んで当該携帯端末２００の向きを検出するための電子コンパス２３と、ＧＰＳ（Global Positioning System）信号または基地局からの位置信号を受信して当該携帯端末の位置情報を取得するためのＧＰＳコントローラー２４と、情報を表示したり当該携帯端末２００に対する操作入力を受け付けたりするためのタッチパネルを含んだ操作パネル２５と、カメラ２６と、インターネット７００を介した通信を制御するための通信コントローラー２７と、画像データーなどを記憶するためメモリー２８とを含む。
【００３６】
操作パネル２５は、一例として、液晶表示装置などの表示装置と光学式タッチパネルや静電容量タッチパネルなどの位置指示装置とが重なって構成されたタッチパネルと、操作キーとを含む。
【００３７】
ＣＰＵ２０は予め記憶されている画面表示をさせるためのデーターに基づいてタッチパネルに操作画面を表示させる。タッチパネルでは操作画面上の指示位置が特定され、その位置を示す操作信号がＣＰＵ２０に入力される。また、押下されたキーを示す操作信号がＣＰＵ２０に入力される。ＣＰＵ２０は押下されたキー、または表示している操作画面と指示位置とから操作内容を特定し、それに基づいて処理を実行する。
【００３８】
また、電子コンパス２３およびＧＰＳコントローラー２４は、取得した当該携帯端末２００の向きや位置情報を示す信号をＣＰＵ２０に入力する。
【００３９】
＜サーバーの装置構成＞
図４は、サーバー８００のハードウェア構成の具体例を示す図である。
【００４０】
図４を参照して、サーバー８００は一般的なコンピュータ等によって構成されるものであり、一例として、全体を制御するための演算装置であるＣＰＵ８０と、ＣＰＵ８０で実行されるプログラムなどを記憶するためのＲＯＭ８１と、ＣＰＵ８０でプログラムを実行する際の作業領域として機能するためのＲＡＭ８２と、後述するＭＦＰ情報などを記憶するためのＨＤ（Hard Disk）８３と、インターネット７００を介した通信の制御するための通信コントローラー８４と、ネットワーク５００Ｂを介した通信の制御するためのネットワークコントローラー８５とを含む。
【００４１】
なお、サーバー６００も一般的なコンピュータ等によって構成されるものであり、図４に示されたサーバー８００のハードウェア構成と同じ構成とする。
【００４２】
＜カメラの装置構成＞
図５は、カメラ４００のハードウェア構成の具体例を示す図である。
【００４３】
図５を参照して、カメラ４００は、全体を制御するための演算装置であるＣＰＵ４０と、ＣＰＵ４０で実行されるプログラムなどを記憶するためのＲＯＭ４１と、ＣＰＵ４０でプログラムを実行する際の作業領域として機能するためのＲＡＭ４２と、磁気センサーを含んで当該カメラ４００の向きを検出するための電子コンパス４３と、ＧＰＳ信号または基地局からの位置信号を受信して当該カメラ４００の位置情報を取得するためのＧＰＳコントローラー４４と、当該カメラ４００に対する操作入力を受け付けるための操作部４５と、撮影部４６と、ネットワーク５００Ａを介した通信の制御するためのネットワークコントローラー４７と、画像データーなどを記憶するためメモリー４８とを含む。
【００４４】
＜動作概要＞
図６は、システム１における動作概要を表わした図である。
【００４５】
図６を参照して、ＭＦＰ１００にはプレゼンテーションに必要な資料のデーター（プレゼン資料データー）が記憶されており、該データがＭＦＰ１００からプロジェクター３００Ａに渡される（Ｓ１）。そして、プロジェクター３００Ａによって投影される（Ｓ２）。プレゼンターは、投影されたプレゼン資料を用いてプレゼンテーションを行なうことができる。
【００４６】
ＭＦＰ１００は、プロジェクター３００Ａに渡したプレゼン資料と、当該プレゼン資料に合成するための情報であるタグデーターとを、サーバー８００に送信する（Ｓ３）。タグデーターとは、予めプレゼン資料と関連付けられたデーターであって、当該プレゼン資料に対して「タグ」と言われる補足的な情報を表わした画像を合成するためのデーターである。具体的には、プレゼン資料に合成する画像データーと、当該画像を合成するプレゼン資料中の位置を特定する情報とが含まれる。また、プレゼン資料が複数ページの画像からなる情報であったり、動画であったりする場合には、当該プレゼン資料中のタグを合成する画像を特定する情報（たとえばページ数や再生開始からの経過時間等）も含まれる。
【００４７】
携帯端末２００Ａは当該プレゼンテーションの聴衆に携帯されるものである。携帯端末２００Ａにおいてタグ付き画面を表示するためのアプリケーションが起動されると、当該携帯端末２００Ａはサーバー８００に当該携帯端末２００Ａの位置および向きを特定する位置情報を送信することで、表示データーの配信を要求する（Ｓ４）。
【００４８】
サーバー８００には、タグを配信するのに適した位置の範囲が記憶されている。この位置の範囲には、携帯端末の存在する位置と共に当該携帯端末の向く方向も含まれる。この例において適した位置の範囲としては、たとえば、上記第１の拠点に存在し、プロジェクター３００Ａでの投影位置に向く方向、などが該当する。
【００４９】
サーバー８００は、携帯端末２００Ａからの上記要求を受け取ると、受信した位置情報が当該範囲内にある場合に当該携帯端末２００Ａをタグの送信対象と決定する。
【００５０】
サーバー８００は、ＭＦＰ１００から受信したプレゼン資料とタグデーターとを合成したタグ付き画面を生成し、上記コンテンツの送信対象とされた携帯端末２００Ａに、当該画面を表示するためのデーターを送信する（Ｓ５）。なお、この合成はＭＦＰ１００で行なわれ、当該画面を表示するためのデーターがサーバー８００に送信されてもよい。
【００５１】
これにより、システム１のうちの上記第１の拠点にあるシステム１Ａでは、プロジェクター３００Ａでプレゼン資料が投影されると共に、当該拠点にある携帯端末２００Ａにおいて、当該プレゼン資料にタグが合成されたタグ付き画面が表示される。
【００５２】
次に、第１の拠点で行なわれている上記プレゼンテーションを上記第２の拠点において再現するための動作として、第１の拠点においてカメラ４００でプロジェクター３００Ａから投影される資料が撮影される（Ｓ６）。カメラ４００は、撮影時の位置および方向を位置情報として、撮影によって得られた撮影画像と共にＭＦＰ１００に対して送信する（Ｓ７）。
【００５３】
なお、本例では、カメラ４００に後述するように位置および方向を特定するための機能が備えられ、撮影画像と共に位置および方向を特定する情報をＭＦＰ１００に送信するようにしている。しかしながら、ＭＦＰ１００でのカメラ４００の情報の取得はカメラ４００からの取得に限定されない。たとえば、予めカメラ４００の設置位置を操作パネル１５等を用いて入力するようにしてもよいし、携帯端末２００Ａなどの他の装置から入力を受け付けるようにしてもよい。また、カメラ４００がＭＦＰ１００に含まれていてもよいし、カメラ４００の位置を検知するための図示しないセンサーがＭＦＰ１００に備えられていてもよい。
【００５４】
ＭＦＰ１００は、位置情報を画像に変換し、当該画像を撮影画像に合成して（Ｓ８）、合成データーをサーバー６００に渡す（Ｓ９）。上記画像は、たとえばＱＲコード（登録商標）などが該当する。以降の例では、この画像をＱＲコードとして説明する。
【００５５】
サーバー６００は、受信した合成データーをプロジェクター３００Ｂに渡す（Ｓ１０）。合成データーはプロジェクター３００Ｂによって投影される（Ｓ１１）。これによって、第１の拠点でプロジェクター３００Ａによって投影されたプレゼン資料がカメラ４００によって撮影された画像と、カメラ４００の位置情報を表現した画像とが合成された画面が、上記第２の拠点において、プロジェクター３００Ｂによって投影されることになる。
【００５６】
携帯端末２００Ｂは第２の拠点での当該プレゼンテーションの聴衆に携帯されるものである。携帯端末２００Ｂにおいてタグ付き画面を表示するためのアプリケーションが起動され、さらに、プロジェクター３００Ｂによって投影された画面が撮影されると（Ｓ１２）、携帯端末２００Ｂにおいて撮影画像中のＱＲコードが解析されて、カメラ４００の位置情報が取得される（Ｓ１３）。携帯端末２００Ｂは取得した位置情報をサーバー８００に送信することで、表示データーの配信を要求する（Ｓ１４）。
【００５７】
サーバー８００は、携帯端末２００Ｂからの上記要求を受け取ると、上記ステップＳ５での動作と同じ動作を行なう。すなわち、サーバー８００は、受信した位置情報に基づいて携帯端末２００Ｂをタグの送信対象と決定して、ＭＦＰ１００から受信したプレゼン資料とタグデーターとを合成したタグ付き画面を生成し、当該画面を表示するためのデーターを送信する（Ｓ１５）。
【００５８】
図７は、上記動作によって携帯端末２００Ｂに表示される画面の具体例を示す図である。すなわち、図７に表わされたように、上記動作によって第１の拠点とは異なる場所にある第２の拠点で用いられる携帯端末２００Ｂにおいて、図６に表わされた、第１の拠点で用いられる携帯端末２００Ａで表示されるタグ付き画面と同様の画面が表示されることになる。そのため、第１の拠点から遠隔にある第２の拠点の聴衆も、第１の拠点の聴衆と同様にタグ付きでプレゼン資料を参照することができる。
【００５９】
＜機能構成＞
＜携帯端末の機能構成＞
図８は、携帯端末２００の機能構成の具体例を示すブロック図である。図８に示される各機能は、ＣＰＵ２０がＲＯＭ２１に記憶されるプログラムを読み出してＲＡＭ２２上で実行することで、主にＣＰＵ２０に形成される機能である。しかしながら、少なくとも一部の機能が図３に示されたハードウェア構成によって形成されてもよい。
【００６０】
図８を参照して、上記動作を実現するための機能として携帯端末２００は、操作パネル２５からの指示入力を受け付けるための指示入力部２０１と、指示に従ってアプリケーションを実行するための実行部２０２と、実行部２０２でのタグ付き画面を表示するためのアプリケーションの実行に従って当該携帯端末２００の位置を取得するための位置取得部２０３と、実行部２０２でのタグ付き画面を表示するためのアプリケーションの実行に従って当該携帯端末２００の向きを取得するための向き取得部２０４と、操作パネル２５からの撮影指示に応じてカメラ２６による撮影を実行して撮影画像を取得するための画像取得部２０５と、実行部２０２でのタグ付き画面を表示するためのアプリケーションの実行に従って取得された位置と向きとを位置情報としてサーバー８００に対して送信することで、タグ付き画面を表示するためのデーターを要求するための第１要求部２０６と、カメラ２６による撮影画像を解析することで当該撮影画像に含まれるＱＲコードから位置情報を取得するための解析部２０７と、当該位置情報をサーバー８００に対して送信することで、タグ付き画面を表示するためのデーターを要求するための第２要求部２０８と、サーバー８００からデーターの入力を受け付けるためのデーター入力部２０９と、サーバー８００からの画面データーに基づいてタグ付き画面を操作パネル２５に表示する処理を実行するための表示処理部２１１とを含む。
【００６１】
＜サーバーの機能構成＞
図９は、サーバー８００の機能構成の具体例を示すブロック図である。図９に示される各機能は、ＣＰＵ８０がＲＯＭ８１に記憶されるプログラムを読み出してＲＡＭ８２上で実行することで、主にＣＰＵ８０に形成される機能である。しかしながら、少なくとも一部の機能が図４に示されたハードウェア構成によって形成されてもよい。
【００６２】
図９を参照して、上記動作を実現するための機能としてサーバー８００は、ＭＦＰ１００からプレゼン資料データーと当該プレゼン資料データーに関連付けられたタグデーターとの入力を受け付けるためのデーター入力部８０１と、携帯端末２００から位置情報と共に画面を表示するためのデーターの要求を受け付けるための要求入力部８０２と、予めプレゼン資料に関連付けられた、タグを配信するのに適した位置の範囲を記憶しておき、携帯端末２００からの位置情報で特定される位置および向きが当該範囲内であるか否かを判断することで、タグを配信するか否かを判断するための判断部８０３と、タグを配信する場合、プレゼン資料データーと当該プレゼン資料データーに関連付けられたタグデーターとを合成してタグ付き画面を表示するためのデーターを生成するための合成部８０４と、当該データーを要求した携帯端末２００に対して送信するための送信部８０５とを含む。
【００６３】
＜ＭＦＰの機能構成＞
図１０は、ＭＦＰ１００の機能構成の具体例を示すブロック図である。図１０に示される各機能は、ＣＰＵ１０がＲＯＭ１１に記憶されるプログラムを読み出してＲＡＭ１２上で実行することで、主にＣＰＵ１０に形成される機能である。しかしながら、少なくとも一部の機能が図２に示されたハードウェア構成によって形成されてもよい。
【００６４】
なお、図１０に示されるように、ＭＦＰ１００のメモリー１６には、プレゼン資料データーを記憶するための資料データー記憶部１６１と、プレゼン資料に関連付けてタグデーターを記憶するためのタグデーター記憶部１６２とが含まれる。
【００６５】
さらに図１０を参照して、上記動作を実現するための機能としてＭＦＰ１００は、操作パネル１５からの指示入力を受け付けるための指示入力部１０１と、操作パネル１５からのプレゼン資料の投影開始の指示に従って、プレゼン資料データーおよび当該プレゼン資料データーに関連付けられているタグデーターをメモリー１６から読み出すための読出部１０２と、プレゼン資料データーをプロジェクター３００Ａに対して送信するための第１送信部１０３と、プレゼン資料データーおよびタグデーターをサーバー８００に対して送信するための第２送信部１０４と、カメラ４００から当該カメラ４００の位置および方向を特定する位置情報と撮影画像との入力を受け付けるための情報入力部１０５と、カメラ４００の位置情報を表わす画像としてＱＲコードを生成するための生成部１０６と、生成されたＱＲコードを撮影画像に合成するための合成部１０７と、作成された合成データーをサーバー６００に対して送信するための第３送信部１０８とを含む。生成部１０６でカメラ４００の位置情報をＱＲコードに変換する方法は、ここでは特定の方法に限定されない。
【００６６】
なお、上の例では、プロジェクター３００Ａでプレゼン資料の投影を開始する際に、ＭＦＰ１００の操作パネル１５から開始の指示入力を行なうものとしている。しかしながら、他の例として、プロジェクター３００Ａを操作することで、当該プロジェクター３００Ａから開始を指示する信号がＭＦＰ１００に対して送信されてもよい。
【００６７】
＜動作フロー＞
図１１は、携帯端末２００での、タグ付き画面を表示するための動作の流れを表わしたフローチャートである。図１１のフローチャートに示される動作は、ＣＰＵ２０がＲＯＭ２１に記憶されるプログラムを読み出してＲＡＭ２２上で実行し、図８に示される各機能を発揮させることによって実現される。
【００６８】
図１１を参照して、ステップＳ１０１でＣＰＵ２０は、操作パネル２５からの指示入力に従ってタグ付き画面を表示させるためのアプリケーションを起動する。そして、ステップＳ１０３においてＣＰＵ２０は、カメラ２６で撮影されたことによって撮影画像が取得されているか否かを判断する。
【００６９】
カメラ２６での撮影が行なわれていない場合（ステップＳ１０３でＮＯ）、ステップＳ１０５でＣＰＵ２０は、当該携帯端末２００の位置および向きを取得し、ステップＳ１０９でこれらを位置情報としてサーバー８００に送信して、タグ付き画面を表示するためのデーターをサーバー８００に対して要求する。
【００７０】
これは、上述の説明では第１の拠点において、プロジェクター３００Ａで投影されているプレゼン資料と共にタグを表示させるために携帯端末２００Ａにおいて上記アプリケーションを起動させた場合の動作に相当する。
【００７１】
一方、カメラ２６での撮影が行なわれて撮影画像が取得されている場合（ステップＳ１０３でＹＥＳ）、ステップＳ１０７でＣＰＵ２０は、当該撮影画像を解析し、当該撮影画像に含まれるＱＲコードから当該ＱＲコードで特定される位置情報を取得する。そして、ステップＳ１０９で取得された位置情報をサーバー８００に送信して、タグ付き画面を表示するためのデーターをサーバー８００に対して要求する。
【００７２】
これは、上述の説明では第２の拠点において、プロジェクター３００Ｂで投影された、第１の拠点でのカメラ４００による撮影画像を、携帯端末２００Ｂにおいて撮影して、当該プレゼン資料についてのタグ付きが画面を要求した場合の動作に相当する。この場合、後述するＭＦＰ１００での動作によってプロジェクター３００Ｂで投影された撮影画像には、第１の拠点でプロジェクター３００Ａによって投影されたプレゼン資料と共にカメラ４００の位置情報を表わしたＱＲコードが含まれている。そのため、携帯端末２００Ｂでの撮影画像にもＱＲコードが含まれている。
【００７３】
上記ステップＳ１０９での要求に応じてサーバー８００からのデーターを受信すると（ステップＳ１１１でＹＥＳ）、ステップＳ１１３でＣＰＵ２０は、当該データーを用いてタグ付き画面を操作パネル２５に表示する。
【００７４】
図１２は、サーバー８００での、タグ付き画面を携帯端末２００に表示させるための動作の流れを示すフローチャートである。図１２のフローチャートに示される動作は、ＣＰＵ８０がＲＯＭ８１に記憶されるプログラムを読み出してＲＡＭ８２上で実行し、図９に示される各機能を発揮させることによって実現される。
【００７５】
図１２を参照して、ＣＰＵ８０は、ステップＳ２０１において、携帯端末２００からタグ付き画面を表示するためのデーターの要求を受け付けたか否かを判断する。当該要求には当該携帯端末２００の位置および向きが位置情報として含まれている。
【００７６】
携帯端末２００から上記要求を受け付けたと判断すると（ステップＳ２０１でＹＥＳ）、ステップＳ２０３でＣＰＵ８０は、上記要求に含まれる位置情報で特定される当該携帯端末２００の位置および向きが、予め記憶している、コンテンツの配信の対象となる範囲に含まれるか否かを判断する。
【００７７】
携帯端末２００から取得した位置情報によって特定される位置および向きが上記範囲内である場合（ステップＳ２０３でＹＥＳ）、ステップＳ２０５でＣＰＵ８０は、合成用データーを取得する。合成用データーとは、携帯端末２００において表示させるプレゼン資料データーと当該プレゼン資料に関連付けられたタグデーターとを含む。
【００７８】
上記ステップＳ１０３で携帯端末２００の位置および向きが上記範囲に含まれない場合には、ＣＰＵ８０は、携帯端末２００がコンテンツの配信の対象ではないと判断して、ステップＳ２０１へ処理を戻す。
【００７９】
なお、この例では、上記要求があり、かつ、当該要求された携帯端末２００が配信の対象となる携帯端末２００と判断された場合に合成用データーをＭＦＰ１００から取得するものとしている。これは、この判断がなされた時点でＭＦＰ１００に対して合成用データーを要求するようにしてよい。
【００８０】
しかしながら、合成用データーを取得するタイミングはこのタイミングに限定されない。他の例として、ＭＦＰ１００から、プレゼン資料データーをプロジェクター３００Ａに渡すタイミングで当該プレゼン資料データーおよび関連するタグデーターを受信し、これら合成用データーを記憶しておいてもよい。このようにすることで、上記要求がなされてからより早いタイミングで以降の動作を行なうことができる。
【００８１】
ステップＳ２０７でＣＰＵ８０は、プレゼン資料データーとタグデーターとの合成画像を生成して、ステップＳ２０９で、生成した合成画像を要求された携帯端末２００へ送信して、タグ付き画面を表示させるための一連の処理を終了する。
【００８２】
上記要求を携帯端末２００Ａが行なった場合、この動作によって、図６に示されたようなプレゼン資料にタグが合成された画面が携帯端末２００Ａに表示される。
【００８３】
図１３は、ＭＦＰ１００での、第１の拠点から第２の拠点へプレゼン資料を転送するための動作の流れを示すフローチャートである。図１３のフローチャートに示される動作は、ＣＰＵ１０がＲＯＭ１１に記憶されるプログラムを読み出してＲＡＭ１２上で実行し、図１０に示される各機能を発揮させることによって実現される。
【００８４】
図１３を参照して、ステップＳ３０１でカメラ４００から撮影画像の入力を受け付けたと判断すると（ステップＳ３０１でＹＥＳ）、ステップＳ３０３でＣＰＵ１０は、撮影画像と共に入力された当該カメラ４００の位置および向きを特定する位置情報からこの位置および向きを表わす画像としてＱＲコードを生成する。そして、ステップＳ３０５でＣＰＵ１０は、入力された撮影画像に生成したＱＲコードを合成し、ステップＳ３０７で合成データーをサーバー６００に対して送信する。
【００８５】
これによって、サーバー６００から合成データーがプロジェクター３００Ｂに送信され（上記ステップＳ１０）、ＱＲコードが合成された撮影画像において撮影された上記第１の拠点で投影されたプレゼン資料が、プロジェクター３００Ｂによって第２の拠点において投影されることになる。
【００８６】
＜実施の形態の効果＞
システム１において以上の動作が行なわれることによって、第１の拠点においては、聴衆の携帯する携帯端末２００Ａにおいて容易な操作で、プレゼンテーションに用いられたプレゼン資料と共に当該プレゼン資料に関連付けられたタグが合成して表示されることになる。
【００８７】
さらに、第１の拠点で行なわれたプレゼンテーションで用いられたプレゼン資料が、上記第１の拠点とは遠隔の第２の拠点で投影されると共に、第１の拠点の聴衆の携帯端末２００Ａで表示されたタグ付き画面と同じタグ付き画面が、容易な操作で、第２の拠点の聴衆の携帯する携帯端末２００Ｂでも表示される。
【００８８】
これにより、たとえばセミナー形式のテレビ会議を行なうような場合に、接続先にいる一般の聴衆者がアクセスアカウントを発行するなどの煩雑な手続きを要せずに容易な操作で、投影された資料に関連するタグデーターを取得することができ、補足情報を得ることができる。
【００８９】
＜変形例１＞
図１４および図１５は、第１の変形例での処理を説明するための図である。第１の変形例では、携帯端末２００Ｂでの撮影画像のサイズに応じてタグ付き画面のサイズを異ならせる。すなわち、図１４に示されるように撮影画像が大きい場合には、タグ付き画面のサイズを大きくし、図１５に示されるように撮影画像が小さい場合には、タグ付き画面のサイズを小さくする。撮影画像のサイズは、たとえば、予め携帯端末２００においてＱＲコードの基準サイズを記憶しておき、当該基準サイズと撮影画像中のＱＲコードのサイズとを比較することで、携帯端末２００のＣＰＵ２０が検出することができる。
【００９０】
図１６は、第１の変形例での携帯端末２００での動作の具体例を示すフローチャートである。図１６のフローチャートは、図１１に表わされた携帯端末２００での動作のうちの、撮影画像がある場合（ステップＳ１０３でＹＥＳ）の動作を表わしており、図１１の動作にステップＳ１０８およびステップＳ１１２が加えられている。すなわち、図１６を参照して、第１の返礼例で携帯端末２００は、撮影画像を解析してＱＲコードを抽出すると、予め記憶している基準サイズと当該ＱＲコードとを比較し、抽出されたＱＲコードのサイズを判定する。または、画面サイズに対するＱＲコードの比率からＱＲコードのサイズを判定してもよい。
【００９１】
そして、ステップＳ１１１で画面のデーターをサーバー８００から受信すると、当該画面を判定されたＱＲコードのサイズに応じて変換する。
【００９２】
すなわち、図１４に示されるように、撮影画像が大きい場合にはＱＲコードの比率も大きくなるため、当該比率を受信し画面のデーターに適用することで表示するタグ付き画面のサイズを大きくする。逆に、図１５に示されるように、撮影画像が小さい場合にはＱＲコードの比率も小さくなるため、当該比率を受信し画面のデーターに適用することで表示するタグ付き画面のサイズを小さくする。
【００９３】
なお、同じようにして、携帯端末２００Ｂの操作パネル２５での表示位置を特定するようにしてもよい。すなわち、予めＱＲコードをカメラ４００での撮影画像に合成する位置が規定されている場合、携帯端末２００Ｂでの撮影画像を操作パネル２５に表示した際の当該表示上でのＱＲコードの位置を特定し、それに応じて、タグ付き画面の表示位置を決定するようにしてもよい。たとえば、図１５の例では、携帯端末２００Ｂでの撮影画像においてＱＲコードが画面の右下寄りに位置しているため、タグ付き画面の表示位置も、同じように右下寄りと決定することができる。
【００９４】
このようにすることで、携帯端末２００Ｂを携帯した聴衆が、プロジェクター３００Ｂによって投影されたプレゼン資料を携帯端末２００Ｂで撮影した場合と同等のサイズでタグ付き画面が表示されることになるので、当該携帯端末２００Ｂを携帯した聴衆によって見やすい画面を提供することができる。
【００９５】
＜変形例２＞
上の例では、携帯端末２００Ｂがプロジェクター３００Ｂによって投影された画像からカメラ４００の位置情報を得る方法として、カメラ４００の撮影画像に当該位置情報を表わした画像（ＱＲコード）を合成して、この合成画像を携帯端末２００Ｂで撮影した上で当該撮影画像を解析し、ＱＲコードから位置情報を取得するものとしている。
【００９６】
しかしながら、カメラ４００の位置情報を得る方法はこの方法のみに限定されるものではない。
【００９７】
図１７は、第２の変形例にかかるシステム１での動作概要を表わした図である。図１７を参照して、第２の変形例では、一例として、上の例ではプロジェクター３００Ｂとして表わされた第２の拠点のコンテンツ再生装置において、携帯端末２００Ｂに対して無線通信でカメラ４００の位置情報を送信する。この無線通信としては、たとえば赤外線を用いる通信であってもよいし、Ｂｌｕｅｔｏｏｔｈ（登録商標）やＷｉｆｉ（登録商標）などの電波を利用したものであってもよいし、可視光通信などの電磁波を利用したものであってもよい。
【００９８】
プロジェクター３００Ｂがこのような通信機能を有する場合はプロジェクター３００Ｂから携帯端末２００Ｂに対してカメラ４００の位置情報が送信されてもよいし、プロジェクター３００Ｂに替えてＰＣ（パーソナルコンピュータ）等の無線通信機能を備えたコンテンツ再生装置が用いられてもよい。
【００９９】
この場合、ＭＦＰ１００はカメラ４００の位置情報を画像に変換する処理に替えて、位置情報を無線通信用の情報（たとえば可視光通信変調情報等）に変換する。ここでの変換の方法については特定の方法に限定されない。そして、撮影画像と共に位置情報をサーバー６００に送信する。
【０１００】
ＭＦＰ１００は、予めカメラ４００の位置情報を画像に変換するのか無線通信用の情報に変換するのかが規定されている場合には、当該規定に従って変換してもよいし、コンテンツ再生装置と通信可能となったサーバー６００から当該コンテンツ再生装置の無線通信機能の有無の通知を受けて、当該通知に従って変換してもよい。
【０１０１】
このようにすることで、特別な認証や手続きを行なうことなく携帯端末２００Ｂでカメラ４００での位置情報を得ることができ、携帯端末２００Ｂで容易にタグ付き画面を表示させることができるようになる。
【０１０２】
＜変形例３＞
なお、以上の例では、サーバー８００がＭＦＰ１００からプレゼン資料とタグデーターとを受け取ってこれらを合成した上で携帯端末２００に送信するものとしている。
【０１０３】
しかしながら、ＭＦＰ１００からサーバー８００に対してタグデーターと、当該タグデーターを表示するべき位置を特定する情報とを送信するようにしてもよい。この場合、携帯端末２００Ａは、タグ付き画面を表示するためのアプリケーションを起動して撮影を行なうことで、当該撮影時の位置および向きを特定する位置情報をサーバー８００に対して送信して、タグデーターを要求する。また、携帯端末２００Ｂは、タグ付き画面を表示するためのアプリケーションを起動して撮影を行ない、その撮影画像からＱＲコードが抽出されることで当該ＱＲコードから特定される位置情報をサーバー８００に対して送信して、タグデーターを要求する。
【０１０４】
サーバー８００は携帯端末２００から位置情報を取得すると、当該位置情報で特定されるその位置および向きで撮影された画像に含まれるコンテンツ（プレゼン資料）に対して表示するべきタグを特定し、当該タグデーターを携帯端末２００に対して送信する。そして、携帯端末２００は、受信したタグデーターを撮影画像に合成することで撮影画像にタグが重ねて表示されたタグ付き画面を表示する。
【０１０５】
なお、この場合でも、携帯端末２００は、上記第１の変形例で説明されたように、撮影画像中のＱＲコードのサイズに応じてタグのサイズを変換するようにしてよい。
【０１０６】
このようにすることでも、同様にして、容易な操作によって携帯端末２００Ａでタグ付き画面を表示させることができる。また、遠隔にある携帯端末２００Ｂでも、カメラ４００の位置からの携帯端末２００Ａに対する操作と同様にして、容易な操作でタグ付き画面を表示させることができる。つまり、あたかも第１の拠点にいるかのようにタグ付き画面を表示させることができる。
【０１０７】
さらに、システム１の各装置に上述の動作を行なわせるためのプログラムを提供することもできる。このようなプログラムは、コンピュータに付属するフレキシブルディスク、ＣＤ−ＲＯＭ（Compact Disk-Read Only Memory）、ＲＯＭ、ＲＡＭおよびメモリカードなどのコンピュータ読み取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１０８】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１０９】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１１０】
提供されるプログラム製品は、ハードディスクなどのプログラム格納部にインストールされて実行される。なお、プログラム製品は、プログラム自体と、プログラムが記録された記録媒体とを含む。
【０１１１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１２】
１  システム、１０，２０，４０，８０  ＣＰＵ、１１，２１，４１，８１  ＲＯＭ、１２，２２，４２，８２  ＲＡＭ、１３  スキャナー、１４  プリンター、１５，２５  操作パネル、１６，２８，４８  メモリー、１７，４７，８５  ネットワークコントローラー、１８，２７，８４  通信コントローラー、２３，４３  電子コンパス、２４，４４  ＧＰＳコントローラー、２６，４００  カメラ、４５  操作部、４６  撮影部、１００  ＭＦＰ、１０１，２０１  指示入力部、１０２  読出部、１０３  第１送信部、１０４  第２送信部、１０５  情報入力部、１０６  生成部、１０７，８０４  合成部、１０８  第３送信部、１６１  資料データー記憶部、１６２  タグデーター記憶部、２００，２００Ａ，２００Ｂ  携帯端末、２０２  実行部、２０３  位置取得部、２０４  向き取得部、２０５  画像取得部、２０６  第１要求部、２０７  解析部、２０８  第２要求部、２０９，８０１  データー入力部、２１１  表示処理部、３００Ａ，３００Ｂ  プロジェクター、５００Ａ，５００Ｂ  ネットワーク、６００，８００  サーバー、７００  インターネット、８０２  要求入力部、８０３  判断部、８０５  送信部。
【図１】
0005582114.tif 000002
【図２】
0005582114.tif 000003
【図３】
0005582114.tif 000004
【図４】
0005582114.tif 000005
【図５】
0005582114.tif 000006
【図６】
0005582114.tif 000007
【図７】
0005582114.tif 000008
【図８】
0005582114.tif 000009
【図９】
0005582114.tif 000010
【図１０】
0005582114.tif 000011
【図１１】
0005582114.tif 000012
【図１２】
0005582114.tif 000013
【図１３】
0005582114.tif 000014
【図１４】
0005582114.tif 000015
【図１５】
0005582114.tif 000016
【図１６】
0005582114.tif 000017
【図１７】
0005582114.tif 000018